【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
液体を供給する液体供給ユニットであって、
第１液体導入部と、第２液体導入部と、第３液体導入部と、前記第１液体導入部と前記第２液体導入部との間に位置し、前記第１液体導入部と前記第２液体導入部との間から前記第３液体導入部までの間に位置する突出部と、を含む液体供給ユニット載置部に載置可能であり、
前記第１液体導入部に第１液体を供給するよう接続可能な第１液体供給口と、
前記第２液体導入部に第２液体を供給するよう接続可能な第２液体供給口と、
前記第３液体導入部に第３液体を供給するよう接続可能な第３液体供給口と、
前記第１液体供給口と前記第２液体供給口との間に形成され、前記第１液体供給口と前記第２液体供給口との間から前記第３液体供給口へ向けて延在し前記突出部が挿入可能な溝と、を備える、液体供給ユニット。
【請求項２】
請求項１に記載の液体供給ユニットであって、
前記第１液体供給口と前記第２液体供給口と前記第３液体供給口と前記溝とが形成される第１壁部と、
前記第１壁部に対向する第２壁部と、
前記第１壁部と前記第２壁部とに交差する第３壁部と、
前記第１壁部と前記第２壁部とに交差し、前記第３壁部に対向する第４壁部と、
前記第１壁部と前記第２壁部とに交差する第５壁部と、
前記第１壁部と前記第２壁部とに交差し、前記第５壁部に対向する第６壁部と、を有し、
前記第１壁部から前記第２壁部に向かう方向に前記液体供給ユニットを平面視したとき、
前記第１液体供給口は前記第５壁部と前記第６壁部との間に位置し、
前記第２液体供給口は前記第１液体供給口と前記第６壁部との間に位置し、
前記溝は前記第４壁部から前記第３壁部に向けて延び、
前記第３液体供給口は前記溝と前記第３壁部との間に位置する、液体供給ユニット。
【請求項３】
請求項２に記載の液体供給ユニットであって、
前記第３壁部の外側壁に位置し、前記液体供給ユニット載置部の電極部と電気的接続可能な接触部を備え、
前記第１壁部から前記第２壁部に向かう方向に前記液体供給ユニットを平面視したとき、前記第３液体供給口は前記溝と前記接触部との間に位置する、液体供給ユニット。
【請求項４】
請求項２または請求項３に記載の液体供給ユニットであって、
前記第１壁部と前記第２壁部とに交差し、前記第５壁部と前記第６壁部との間に位置する第１隔壁と、
前記第１壁部と前記第２壁部と前記第１隔壁に交差し、前記第４壁部と前記第３壁部との間に位置する第２隔壁と、
少なくとも前記第１壁部と前記第２壁部と前記第４壁部と前記第５壁部と前記第１隔壁と前記第２隔壁を用いて区画して構成され、前記第１液体供給口に連通する第１液体収容室と、
少なくとも前記第１壁部と前記第２壁部と前記第４壁部と前記第６壁部と前記第１隔壁と前記第２隔壁を用いて区画して構成され、前記第２液体供給口に連通する第２液体収容室と、
少なくとも前記第１壁部と前記第２壁部と前記第３壁部と前記第６壁部と前記第１隔壁を用いて区画して構成され、前記第３液体供給口に連通する第３液体収容室と、を備え、
前記第１壁部から前記第２壁部に向かう方向に前記液体供給ユニットを平面視したとき、前記溝は前記第４壁部と前記第３液体収容室との間に位置する、液体供給ユニット。
【請求項５】
請求項４に記載の液体供給ユニットであって、
前記溝は、前記第１隔壁に形成された凹部である、液体供給ユニット。
【請求項６】
請求項２から請求項５のいずれか一項に記載の液体供給ユニットであって、
前記第１壁部から前記第２壁部に向かう方向に前記液体供給ユニットを平面視したとき、前記溝は、前記液体供給ユニット載置部の前記第３液体導入部の周囲に形成された第３封止部に前記第１壁部が接触する領域と、前記第４壁部と、の間に位置する、液体供給ユニット。
【請求項７】
請求項２から請求項６のいずれか一項に記載の液体供給ユニットであって、
前記第４壁部は前記溝に連続する凹部を有する、液体供給ユニット。
【請求項８】
請求項７に記載の液体供給ユニットであって、
前記第４壁部の前記凹部は、前記第１壁部から前記第２壁部に向かう方向における深さが、前記溝の前記第１壁部から前記第２壁部に向かう方向における深さより浅くされている、液体供給ユニット。
【請求項９】
請求項１に記載の液体供給ユニットであって、
第１の方向に向かって前記液体供給ユニットを平面視したとき、前記第１液体供給口と前記第２液体供給口と前記第３液体供給口と前記溝と前記液体供給ユニット載置部の電極部に電気的接続可能な接触部とが含まれる第１の外形を有し、
前記第１の方向とは反対の第２の方向に向かって前記液体供給ユニットを平面視したとき、第２の外形を有し、
前記第１の方向と直交する第３の方向に向かって前記液体供給ユニットを平面視したとき、前記接触部が含まれる第３の外形を有し、
前記第３の方向とは反対の第４の方向に向かって前記液体供給ユニットを平面視したとき、第４の外形を有し、
前記第１の方向および前記第３の方向と直交する第５の方向に向かって前記液体供給ユニットを平面視したとき、第５の外形を有し、
前記第５の方向とは反対の第６の方向に向かって前記液体供給ユニットを平面視したとき、第６の外形を有する、液体供給ユニット。
【請求項１０】
請求項９に記載の液体供給ユニットであって、
前記第１の方向に向かって前記液体供給ユニットを平面視したとき、前記第３液体供給口は前記溝と前記接触部との間に位置する、液体供給ユニット。
【請求項１１】
請求項１に記載の液体供給ユニットであって、
前記第１液体と前記第２液体と前記第３液体を液体ごとに収容可能な液体収容室と、前記第１液体供給口と前記第２液体供給口と前記第３液体供給口と、前記溝と、が形成される第１部材と、
前記第１部材に配置され、前記液体供給ユニット載置部の電極に電気的接続可能な接触部を含む端子が形成される第２部材と、を備える、液体供給ユニット。
【請求項１２】
請求項１に記載の液体供給ユニットであって、
前記第１液体供給口と前記第２液体供給口と前記第３液体供給口と、前記溝と、が形成される第１部材と、
前記第１部材に着脱可能に取り付けることができ、前記液体供給ユニット載置部の電極部に電気的接続可能な接触部を含む端子が形成される第２部材と、を備える、液体供給ユニット。
【請求項１３】
請求項１に記載の液体供給ユニットであって、
前記第１液体供給口と前記第２液体供給口と前記第３液体供給口と、前記液体供給ユニット載置部の電極部に電気的接続可能な接触部を含む端子と、前記溝と、が形成される第１部材と、
前記第１液体供給口と前記第２液体供給口と前記第３液体供給口とに取り付け可能であり、前記第１液体供給口を介して前記第１液体を前記第１液体導入部に供給可能で、前記第２液体供給口を介して前記第２液体を前記第２液体導入部に供給可能で、前記第３液体供給口を介して前記第３液体を前記第３液体導入部に供給可能な第２部材と、を備える、液体供給ユニット。
【手続補正２】
【補正対象書類名】明細書
【補正対象項目名】０００７
【補正方法】変更
【補正の内容】
【０００７】
（２）上記形態の液体供給ユニットにおいて、前記第１液体供給口と前記第２液体供給口と前記第３液体供給口と前記溝とが形成される第１壁部と、前記第１壁部に対向する第２壁部と、前記第１壁部と前記第２壁部とに交差する第３壁部と、前記第１壁部と前記第２壁部とに交差し、前記第３壁部に対向する第４壁部と、前記第１壁部と前記第２壁部とに交差する第５壁部と、前記第１壁部と前記第２壁部とに交差し、前記第５壁部に対向する第６壁部と、を有するものとし、前記第１壁部から前記第２壁部に向かう方向に前記液体供給ユニットを平面視したとき、前記第１液体供給口は前記第５壁部と前記第６壁部との間に位置し、前記第２液体供給口は前記第１液体供給口と前記第６壁部との間に位置し、前記溝は前記第４壁部から前記第３壁部に向けて延び、前記第３液体供給口は前記溝と前記第３壁部との間に位置するようにしてもよい。こうすれば、漏洩第３液体を、第１壁部に形成され第３液体供給口へ向けて延在する溝に誘導して、その溝に留め置くことを可能とする。この形態の液体供給ユニットによれば、漏洩第３液体の第１壁部の壁面に沿った拡散を抑制できるので、漏洩液体の混合も回避可能となる。この形態の液体供給ユニットでは、第５壁部と第６壁部との間に位置する第１液体供給口と、第１液体供給口と第６壁部との間に位置する第２液体供給口との間において、溝が第４壁部から第３壁部に向けて延びるので、第１液体供給口からの漏洩第１液体や、第２液体供給口からの漏洩第２液体についても、これら漏洩液体を溝に留め置いて第１壁部の壁面に沿った拡散を抑制できる。よって、これら漏洩液体の混合も回避可能となる。また、この形態の液体供給ユニットによれば、第５壁部と第６壁部との間に位置する第１液体供給口と、第１液体供給口と第６壁部との間に位置する第２液体供給口との間において、溝を第４壁部から第３壁部に向けて延ばすという簡易な構成で、上記した漏洩液体の拡散を抑制できる。
【手続補正３】
【補正対象書類名】明細書
【補正対象項目名】００１６
【補正方法】変更
【補正の内容】
【００１６】
（１１）当初形態の液体供給ユニットにおいて、前記第１液体と前記第２液体と前記第３液体を液体ごとに収容可能な液体収容室と、前記第１液体供給口と前記第２液体供給口と前記第３液体供給口と、前記溝と、が形成される第１部材と、前記第１部材に配置され、前記液体供給ユニット載置部の電極に電気的接続可能な接触部を含む端子が形成される第２部材と、を備えるようにしてもよい。こうすれば、第１部材と第２部材の多パーツ形態の液体供給ユニットであっても、既述したように漏洩第３液体の溝への留め置きによる漏洩第３液体の拡散抑制を可能とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】